(57)【要約】【課題】本発明はリニアモータを提供する。【解決手段】リニアモータは、収容空間を有するケースと、収容空間に収容される振動子及びステータと、振動子をケース内に懸架する弾性部材と、回路基板とを含み、ケースは、ボトムカバーと、ボトムカバーに覆設され且つボトムカバーと共に収容空間を囲む筐体とを含み、ステータは、ケース内に固定される鉄心と、鉄心に嵌着されるヨークと、鉄心に嵌着され且つそれぞれヨークの両側に設けられる第１コイル及び第２コイルとを含み、第２コイルは、ヨークとボトムカバーとの間に設けられ、回路基板は、ボトムカバーに固定され、振動子は、ステータと間隔をあけて設けられる磁性鋼を含み、鉄心には表面から内部へ凹んで形成される凹溝が設けられ、第１コイルのコイルリード線は凹溝を通って回路基板に電気的に接続される。本発明のリニアモータは、小さい磁気ギャップを確保でき、磁気回路的利用率を向上させる。【選択図】図２
2020025953.tif 000002
【特許請求の範囲】
【請求項１】
収容空間を有するケースと、前記収容空間に収容される振動子及びステータと、前記振動子を前記ケース内に懸架する弾性部材と、回路基板とを含むリニアモータであって、
前記ケースは、ボトムカバーと、前記ボトムカバーに覆設され且つ前記ボトムカバーと共に前記収容空間を囲む筐体とを含み、
前記ステータは、前記ケース内に固定される鉄心と、前記鉄心に嵌着されるヨークと、前記鉄心に嵌着され、且つそれぞれ前記ヨークの両側に設けられる第１コイル及び第２コイルとを含み、
前記第２コイルは、前記ヨークと前記ボトムカバーとの間に設けられ、
前記回路基板は、前記ボトムカバーに固定され、
前記振動子は、前記ステータと間隔をあけて設けられる磁性鋼を含み、
前記鉄心には、表面から内部へ凹んで形成される凹溝が設けられ、前記第１コイルのコイルリード線は、前記凹溝を通って前記回路基板に電気的に接続されている、ことを特徴とするリニアモータ。
【請求項２】
前記鉄心は円柱状をなし、
前記凹溝の数は２つであり、２つの前記凹溝は、前記鉄心の軸心に対して対称に設けられ、
前記コイルリード線の数は２つであり、２つの前記コイルリード線は、それぞれ２つの前記凹溝を通っている、ことを特徴とする請求項１に記載のリニアモータ。
【請求項３】
前記凹溝は、弧状をなす、ことを特徴とする請求項１又は２に記載のリニアモータ。
【請求項４】
前記回路基板は、前記弾性部材と前記ボトムカバーとの間に介設され且つ前記第１コイルのコイルリード線に電気的に接続される第１部分と、前記第１部分に接続され、且つ前記収容空間から延出する第２部分とを含む、ことを特徴とする請求項１に記載のリニアモータ。
【請求項５】
前記振動子は、カウンターウェイトをさらに含み、
前記カウンターウェイトは、前記磁性鋼と前記弾性部材との間に介設されている、ことを特徴とする請求項１に記載のリニアモータ。
【発明の詳細な説明】
【技術分野】
【０００１】
本発明は、振動モータの技術分野に関し、特に携帯型消費性電子製品に用いられるリニアモータに関する。
【背景技術】
【０００２】
電子技術の発展に伴い、携帯型消費性電子製品は、益々人々に注目されている。例えば、携帯電話、携帯型ゲーム機、ナビゲーション装置または携帯型マルチメディア娯楽設備などの電子製品は、一般に、例えば、携帯電話の着信提示、情報提示、ナビゲーション提示、ゲーム機の振動フィードバックなどのシステムフィードバックに、リニアモータが用いられる。
【発明の概要】
【発明が解決しようとする課題】
【０００３】
関連する技術におけるリニアモータが、収容空間を有するケースと、前記収容空間に収容される振動子及びステータとを備え、前記ステータが鉄心と、前記鉄心に嵌着されるヨークと、前記鉄心に嵌着され、且つそれぞれ前記ヨークの両側に設けられる第１コイル及び第２コイルとを含み、前記振動子が、前記ステータと間隔をあけて設けられる磁性鋼を含み、前記鉄心と前記磁性鋼との間に磁気ギャップが形成され、前記第１コイルと前記第２コイルが、前記磁気ギャップに挿入されている。
【０００４】
しかしながら、関連する技術におけるリニアモータは、その前記第１コイルのコイルリード線が、前記第１コイルの外側から前記磁気ギャップを通ってから外部回路に接続されるため、磁気ギャップに必要な空間を増加させ、磁気回路の利用率を低下させる。
従って、上記欠陥を解決するために、新型のリニアモータを提供する必要がある。
【課題を解決するための手段】
【０００５】
本発明は、上記技術的問題を克服し、小さい磁気ギャップを有し、磁気回路の利用率を向上させることを保証できるリニアモータを提供することを目的とする。
【０００６】
上記目的を達成するために、本発明はリニアモータを提供し、当該リニアモータは、収容空間を有するケースと、前記収容空間に収容される振動子及びステータと、前記振動子を前記ケース内に懸架する弾性部材と、回路基板とを含み、前記ケースは、ボトムカバーと、前記ボトムカバーに覆設され、且つ前記ボトムカバーと共に前記収容空間を囲む筐体とを含み、前記ステータは、前記ケース内に固定される鉄心と、前記鉄心に嵌着されるヨークと、前記鉄心に嵌着され、且つそれぞれ前記ヨークの両側に設けられる第１コイル及び第２コイルとを含み、前記第２コイルは、前記ヨークと前記ボトムカバーとの間に設けられ、前記回路基板は、前記ボトムカバーに固定され、前記振動子は、前記ステータと間隔をあけて設けられる磁性鋼を含み、前記鉄心には、表面から内部へ凹んで形成される凹溝が設けられ、前記第１コイルのコイルリード線は、前記凹溝を通って前記回路基板に電気的に接続されている。
【０００７】
好ましくは、前記鉄心は円柱状をなし、前記凹溝の数は２つであり、２つの前記凹溝は、前記鉄心の軸心に対して対称に設けられ、前記コイルリード線の数は２つであり、２つの前記コイルリード線は、それぞれ２つの前記凹溝を通っている。
【０００８】
好ましくは、前記凹溝は、弧状をなす。
【０００９】
好ましくは、前記回路基板は、前記弾性部材と前記ボトムカバーとの間に介設され且つ前記第１コイルのコイルリード線に電気的に接続される第１部分と、前記第１部分に接続され、且つ前記収容空間から延出する第２部分とを含む。
【００１０】
好ましくは、前記振動子は、カウンターウェイトをさらに含み、前記カウンターウェイトは、前記磁性鋼と前記弾性部材との間に介設されている。
【発明の効果】
【００１１】
関連する技術に比べて、本発明に係るリニアモータは、鉄心に表面から内部へ凹んで形成される凹溝が設けられることにより、前記第２コイルのコイルリード線が前記凹溝を通ってから前記回路基板に接続されることを可能にして、前記コイルリード線が磁気ギャップに入ることを回避し、磁気ギャップが占める空間を減少させ、磁気回路の利用率を向上させることができる。前記凹溝が２つ設けられ、且つ２つの前記凹溝が前記鉄心の中心軸線に対して対称に設けられていることにより、磁気回路の損失を効果的に低減することができ、前記リニアモータの信頼性を向上させる。
【図面の簡単な説明】
【００１２】
本発明の実施例における技術案をより明瞭に説明するために、以下、実施例に記載された使用が必要な図面を簡単に紹介し、明らかに、以下に記載される図面は、本発明の一部の実施例に過ぎず、当業者にとって、創造的労力をかけない前提で、これらの図面より他の図面を得ることができる。
【図１】本発明に係るリニアモータの斜視構造を示す模式図である。
【図２】図１に示すリニアモータ的斜視構造を示す分解模式図である。
【図３】図１に示すリニアモータの断面図である。
【図４】本発明に係るリニアモータにおけるステータの斜視構造を示す模式図である。
【発明を実施するための形態】
【００１３】
本発明の実施例における図面を参照しながら、本発明の実施例における技術案を明瞭に、完全に説明する。当然ながら、説明される実施例は、本発明の一部の実施例に過ぎす、全ての実施例ではない。本発明における実施例に基づき、当業者は、創造的労力をかけない前提で、得た全ての他の実施例は、いずれも本発明の保護範囲に含まれる。
【００１４】
図１〜図４を参照すると、前記リニアモータ１００が、収容空間を有するケース１と、前記収容空間に収容されるステータ３及び振動子５と、前記振動子５を前記ケース１内に懸架する弾性部材７と、回路基板９とを含む。
【００１５】
前記ケース１が、ボトムカバー１１と、前記ボトムカバー１１に覆設され、且つ前記ボトムカバー１１と共に前記収容空間を囲む筐体１３とを含む。
【００１６】
前記ステータ３が、前記ケース１内に固定される鉄心３１と、前記鉄心３１に嵌着されるヨーク３３と、前記鉄心３１に嵌着され、且つそれぞれ前記ヨーク３３の両側に設けられる第１コイル３５及び第２コイル３７とを含む。具体的に、前記第２コイル３７が、前記ヨーク３３と前記ボトムカバー１１との間に設けられている。
【００１７】
前記鉄心３１には、表面から内部へ凹んで形成される凹溝３９が設けられ、前記第１コイル３５のコイルリード線が、前記凹溝３９を通って前記回路基板９に電気的に接続されている。好ましくは、前記凹溝３９が弧状をなす。
【００１８】
前記鉄心３１には表面から内部へ凹んで形成される凹溝３９が設けられることにより、前記第１コイル３５のコイルリード線が前記凹溝３９を通ってから前記回路基板９に接続されることを可能にして、前記第１コイル３５のコイルリード線が磁気ギャップに入ることを回避し、磁気ギャップが占める空間を減少させ、磁気回路的利用率を高める。
【００１９】
前記鉄心３１が円柱状をなすが、本発明がこれに限定されず、前記鉄心３１が実際の需要に応じて角柱状とすることもできる。
【００２０】
前記凹溝３９の数が２つであり、２つの前記凹溝３９が前記鉄心３１の軸心に対して対称に設けられ、対応的に、前記第１コイル３５のコイルリード線の数が２本であり、２本の前記コイルリード線が、それぞれ２つ前記凹溝を通ってから前記回路基板９に接続される。前記凹溝３９の数を２つとし、且つ２つの前記凹溝３９が前記鉄心３１の中心軸線に対して対称に設けられることで、磁気回路の損失を効果的に低減し、前記リニアモータ100の信頼性を高めることができる。
【００２１】
前記振動子５が、前記ステータ３と間隔をあけて設けられる磁性鋼５１と、前記磁性鋼５１と前記弾性部材７との間に介設されるカウンターウェイト５３とを含む。
【００２２】
前記磁性鋼５１と前記鉄心３１とが間隔をあけて設けられることで、磁気ギャップが形成され、前記ヨーク３３、前記第１コイル３５及び前記第２コイル３７がいずれも前記磁気ギャップ内に挿入設置されている。
【００２３】
前記カウンターウェイト５３が、円環状をなし、且つ、前記リニアモータ１００の安定性を高めるために、前記カウンターウェイト５３の直径が前記磁性鋼５１の直径よりも小さい。
【００２４】
前記回路基板９が、前記ボトムカバー１１と固定接続されており、具体的に、前記回路基板９が、前記弾性部材７と前記ボトムカバー１１との間に介設され且つ前記第１コイル３５のコイルリード線に電気的に接続される第１部分９１と、前記第１部分９１に接続され、且つ前記収容空間から延出する第２部分９３とを含む。前記第２部分９３が、外付け電気機器に接続するために用いられる。
【００２５】
関連する技術に比べて、本発明に係るリニアモータは、鉄心に表面から内部へ凹んで形成される凹溝が設けられることで、前記第２コイルのコイルリード線が前記凹溝を通ってから前記回路基板に接続することを可能にして、前記コイルリード線が磁気ギャップに入ることを回避し、磁気ギャップが占める空間を減少させ、磁気回路の利用率を高めることができる。前記凹溝を２つとし、且つ、２つ前記凹溝が前記鉄心の中心軸線に対して対称に設けられることにより、磁気回路の損失を効果的に減少させ、前記リニアモータの信頼性を向上させることができる。
【００２６】
上述したのは、本発明の実施形態に過ぎず、当業者にとって、本発明の趣旨を逸脱しない範囲で改良を加えることが可能であるが、これら全ては本発明の保護範囲に含まれると理解されるべきである。
【図１】
2020025953.tif 000003
【図２】
2020025953.tif 000004
【図３】
2020025953.tif 000005
【図４】
2020025953.tif 000006